(57)【要約】【課題】ユーザが迅速に伝送することを希望する、あるいはその性質上迅速な伝送が望ましい、サービスフローのデータを迅速に伝送することのできる無線端末、および無線通信方法を提供する。【解決手段】ＱｏＳ管理部１１は、無線基地局から、上りの複数個のサービスフローのＱｏＳパラメータの通知を受信する。バースト領域管理部９は、無線基地局から、上りのユーザデータバースト領域の通知を受信する。サービスフロー割当部１０は、自端末に割当てられた上りのユーザデータバースト領域における、上りの複数個のサービスフローの領域を割当てる。サービスフロー割当部１０は、通知された上りの各サービスフローのＱｏＳパラメータにおける伝送レート、遅延時間、および遅延時間の変動について条件を満たし、かつ少なくとも１つのサービスフローの領域を他のサービスフローの領域よりも優先して割当てる。【選択図】図２
2011071899.tif 000002
【特許請求の範囲】
【請求項１】
無線基地局から、上りの複数個のサービスフローのＱｏＳパラメータの通知を受信するＱｏＳ管理部と、
前記無線基地局から、上りのユーザデータバースト領域の通知を受信するバースト領域管理部と、
自端末に割当てられた上りのユーザデータバースト領域における、上りの複数個のサービスフローの領域を割当てるサービスフロー割当部とを備え、
前記サービスフロー割当部は、通知された上りの各サービスフローのＱｏＳパラメータにおける伝送レート、遅延時間、および遅延時間の変動について条件を満たし、かつ少なくとも１つのサービスフローの領域を他のサービスフローの領域よりも優先して割当てる、無線端末。
【請求項２】
前記サービスフロー割当部は、ユーザが指定したサービスフローの領域を他のサービスフローの領域よりも優先して割当てる、請求項１記載の無線端末。
【請求項３】
前記サービスフロー割当部は、予め定められたサービスフローの領域を他のサービスフローの領域よりも優先して割当てる、請求項１記載の無線端末。
【請求項４】
前記予め定められたサービスフローは、ＦＴＰである、請求項３記載の無線端末。
【請求項５】
無線基地局から、上りの複数個のサービスフローのＱｏＳパラメータの通知を受信するステップと、
前記無線基地局から、上りのユーザデータバースト領域の通知を受信するステップと、
自端末に割当てられた上りのユーザデータバースト領域における、上りの複数個のサービスフローの領域を割当てるステップとを備え、
前記割当てるステップは、通知された上りの各サービスフローのＱｏＳパラメータにおける伝送レート、遅延時間、および遅延時間の変動について条件を満たし、かつ少なくとも１つのサービスフローの領域を他のサービスフローの領域よりも優先して割当てるステップを含む、無線通信方法。
【発明の詳細な説明】
【技術分野】
【０００１】
本発明は、無線端末および無線通信方法に関し、特に、ＯＦＤＭまたはＯＦＤＭＡ（Orthogonal Frequency Division Multiple Access）フレームを用いて、無線基地局へ複数のサービスフローのデータを伝送する無線端末、および無線通信方法に関する。
【背景技術】
【０００２】
ＷｉＭＡＸ(Worldwide Interoperability for Microwave Access）などの各種無線通信システムにおいて、無線端末から無線基地局へ複数のサービスフローのデータが伝送される場合がある。たとえば、無線端末から無線基地局へ、ＶｏＩＰ(Voice over Internet Protocol)のサービスフローとＦＴＰ（File Transfer Protocol)のサービスフローが生成されて、ＶｏＩＰのデータとＦＴＰのデータが同時に伝送される場合がある。
【０００３】
サービスフローは、無線基地局または管理サーバで定められるサービス品質を表わすＱｏＳ（Quality of Service）によって特徴づけられる（たとえば、非特許文献１を参照）。ＱｏＳは、最大伝送レート、最小伝送レート、最大許容時間などのパラメータを規定する。無線端末は、定められたＱｏＳパラメータの条件を満たすように、サービスフローのデータをスケジューリングして無線基地局へ送信する。
【先行技術文献】
【非特許文献】
【０００４】
【非特許文献１】庄納  崇、ＷｉＭＡＸ教科書、２００８年７月２１日、株式会社インプレスＲ＆Ｄ
【発明の概要】
【発明が解決しようとする課題】
【０００５】
しかしながら、無線端末において、定められたＱｏＳパラメータの条件を満たすようにサービスフローのデータをスケジューリングするだけでは、不都合が生じる場合がある。
【０００６】
たとえば、テレビ会議において、ユーザがファイルをビデオストリームよりも優先してなるべく早く転送することを希望している場合でも、ＦＴＰによる転送が優先されず、ファイル転送に長時間を要する場合がある。
【０００７】
それゆえに、本発明の目的は、ユーザが迅速に伝送することを希望する、あるいはその性質上迅速な伝送が望ましい、サービスフローのデータを迅速に伝送することのできる無線端末、および無線通信方法を提供することである。
【課題を解決するための手段】
【０００８】
上記課題を解決するために、本発明は、無線基地局から、上りの複数個のサービスフローのＱｏＳパラメータの通知を受信するＱｏＳ管理部と、無線基地局から、上りのユーザデータバースト領域の通知を受信するバースト領域管理部と、自端末に割当てられた上りのユーザデータバースト領域における、上りの複数個のサービスフローの領域を割当てるサービスフロー割当部１０とを備え、サービスフロー割当部１０は、通知された上りの各サービスフローのＱｏＳパラメータにおける伝送レート、遅延時間、および遅延時間の変動について条件を満たし、かつ少なくとも１つのサービスフローの領域を他のサービスフローの領域よりも優先して割当てる。
【０００９】
好ましくは、サービスフロー割当部１０は、ユーザが指定したサービスフローの領域を他のサービスフローの領域よりも優先して割当てる。
【００１０】
好ましくは、サービスフロー割当部１０は、予め定められたサービスフローの領域を他のサービスフローの領域よりも優先して割当てる。
【００１１】
好ましくは、予め定められたサービスフローは、ＦＴＰである。
本発明は、無線基地局から、上りの複数個のサービスフローのＱｏＳパラメータの通知を受信するステップと、無線基地局から、上りのユーザデータバースト領域の通知を受信するステップと、自端末に割当てられた上りのユーザデータバースト領域における、上りの複数個のサービスフローの領域を割当てるステップとを備え、割当てるステップは、通知された上りの各サービスフローのＱｏＳパラメータにおける伝送レート、遅延時間、および遅延時間の変動について条件を満たし、かつ少なくとも１つのサービスフローの領域を他のサービスフローの領域よりも優先して割当てるステップを含む。
【発明の効果】
【００１２】
本発明によれば、ユーザが迅速に伝送することを希望する、あるいはその性質上迅速な伝送が望ましい、サービスフローのデータを迅速に伝送することができる。
【図面の簡単な説明】
【００１３】
【図１】本発明の実施形態の無線通信システムの構成を表わす図である。
【図２】本発明の実施形態の無線端末の構成を表わす図である。
【図３】サービスタイプと、そのサービスタイプに属するアプリケーション、そのサービスタイプについて規定されるＱｏＳパラメータの例を表わす図である。
【図４】本発明の実施形態の無線通信システムにおけるサービスフローのデータを送受信するためのシーケンスを表わす図である。
【図５】本発明の第１の実施形態の無線端末によるサービスフローのバースト領域の割当手順を表わすフローチャートである。
【図６】本発明の第２の実施形態の無線端末によるサービスフローのバースト領域の割当手順を表わすフローチャートである。
【図７】本発明の第３の実施形態の無線端末によるサービスフローのバースト領域の割当手順を表わすフローチャートである。
【図８】本発明の第４の実施形態の無線端末によるサービスフローのバースト領域の割当手順を表わすフローチャートである。
【発明を実施するための形態】
【００１４】
以下、本発明の実施形態について図面を参照して説明する。
本発明の実施形態は、ＯＦＤＭＡに基づく、ＷｉＭＡＸシステムを例にして説明するが、その他の通信システムにも適用可能である。
【００１５】
［第１の実施形態］
（無線通信システムの構成）
図１は、本発明の実施形態の無線通信システムの構成を表わす図である。
【００１６】
図１を参照して、この無線通信システム１は、無線基地局３と、無線基地局３との間で無線通信する複数の無線端末４ａ〜４ｎを備える。この無線通信システム１は、さらに、無線基地局３と有線の通信回線で接続された管理サーバ２を備える。管理サーバ２は、無線端末４ａ〜４ｎに対する認証、許可、課金などの機能を有する。
【００１７】
なお、以下の説明では、複数の無線端末４ａ〜４ｎを代表して、無線端末４と称することもある。
【００１８】
（無線端末の構成）
図２は、本発明の実施形態の無線端末の構成を表わす図である。
【００１９】
図２を参照して、この無線端末４は、アンテナ５，６と、送受信部７と、制御部８とを備える。制御部８は、バースト領域管理部９と、ＱｏＳ管理部１１と、サービスフロー割当部１０とを有する。
【００２０】
アンテナ５，６は、無線基地局３からの無線信号を受信し、無線基地局３への無線信号を送信する。
【００２１】
送受信部７は、アンテナ５，６から出力される無線基地局３からの信号を受信処理し、アンテナ５，６を通じて出力する無線基地局３への信号を送信処理する。送受信部７は、たとえば、符号化回路、変調回路、復号回路、復調回路、ＭＩＭＯ(Multi In Multi Output)信号処理部などを含む。
【００２２】
バースト領域管理部９は、無線基地局３から、上りのユーザデータバースト領域の通知を受信する。上りのユーザデータバースト領域に、この無線端末４の上りのユーザデータが配置される。
【００２３】
ＱｏＳ管理部１１は、ＭＡＣ（Media Access Control）層の複数個のサービスフローのＱｏＳパラメータを受信する。
【００２４】
図３は、サービスタイプと、そのサービスタイプに属するアプリケーション、そのサービスタイプについて規定されるＱｏＳパラメータの例を表わす図である。
【００２５】
図３を参照して、ＵＧＳ（Unsolicited Grant Services）には、ＶｏＩＰなどの一定周期で可変サイズのデータパケットを生成するリアルタイムトラフィックのアプリケーションが属する。ＵＧＳにおける主要なＱｏＳパラメータは、最大伝送レート、最大遅延時間、許容ジッタ（遅延時間の時間変動）である。
【００２６】
ｒｔＰＳ(Real-Time Polling Services)には、ＭＰＥＧ（Moving Picture Experts Group）ビデオストリーミングなどのリアルタイムトラフィックのアプリケーションが属する。ｒｔＰＳにおける主要なＱｏＳパラメータは、最大伝送レート、最大遅延時間、最小伝送レートである。
【００２７】
ｅｒｔＰＳ(extended rtPS)には、音声区間検出ＶｏＩＰ、すなわちサイレンス除去機能のあるＶｏＩＰなどが属する。ｅｒｔＰＳにおける主要なＱｏＳパラメータは、最大伝送レート、最大遅延時間、最小伝送レートである。
【００２８】
ｎｒｔＰＳ(Non-Real-Time Polling Services)には、ＦＴＰなどの非リアルタイムトラフィックのアプリケーションが属する。ｎｒｔＰＳにおける主要なＱｏＳパラメータは、最大伝送レート、最小伝送レート、トラフィック優先度である。
【００２９】
ＢＥ(Best Effort service)にはは、ＷＷＷ(World Wide Web)サーフィン用のアプリケーションが属する。ＢＥにおける主要なＱｏＳパラメータは、最大伝送レート、トラフィック優先度である。
【００３０】
サービスフロー割当部１０は、自端末に割当てられた上りのユーザデータバースト領域における、複数個のサービスフローの領域を割当てる。サービスフロー割当部１０は、上りの各サービスフローのＱｏＳパラメータにおける伝送レート、遅延時間、および遅延時間の変動について条件を満たし、かつ少なくとも１つのサービスフローの領域を他のサービスフローの領域よりも優先して割当てる。
【００３１】
（サービスフローのデータの送受信動作）
図４は、本発明の実施形態の無線通信システムにおけるサービスフローのデータを送受信するためのシーケンスを表わす図である。
【００３２】
図４を参照して、まず、無線端末４のサービスフロー割当部１０は、上りの各サービスフローの帯域要求を無線基地局３に送信する（ステップＳ３０２）。
【００３３】
次に、無線基地局３は、無線端末４から送信される上りの各サービスフローの帯域要求受信し（ステップＳ３０２）、それをさらに管理サーバ２へ送信する（ステップＳ３０３）。
【００３４】
次に、管理サーバ２は、無線基地局３から上りの各サービスフローの帯域要求を受信し（ステップＳ３０４）、この帯域要求と、保持している課金情報などに基づいて無線端末４の上りのユーザデータバースト領域と、上りの各サービスフローのＱｏＳパラメータを決定し、決定した内容を無線基地局３へ送信する（ステップＳ３０５）。
【００３５】
次に、無線基地局３は、管理サーバ２から送信される無線端末４の上りのユーザデータバースト領域を表す情報と、上りの各サービスフローのＱｏＳパラメータを受信し（ステップＳ３０６）、それらの情報を無線端末４へ送信する。無線基地局３は、たとえば、上りの各サービスフローのＱｏＳパラメータをＤＳＡ−ＲＥＱ（Dynamic Service Addition-REQuest）メッセージを通じて送信する。無線基地局３は、たとえば、無線端末４の上りのユーザデータバースト領域を表す情報をＵＬ−ＭＡＰ（アップリンクマップ）を用いて送信する（ステップＳ３０７）。
【００３６】
次に、無線端末４のバースト領域管理部９は、無線基地局３から送信される上りのユーザデータバースト領域を表す情報を受信して管理する。無線端末４のＱｏＳ管理部１１は、無線基地局３から送信される上りの各サービスフローにＱｏＳパラメータを受信する（ステップＳ３０９）。
【００３７】
次に、サービスフロー割当部１０は、上りのユーザデータバースト領域において、上りの各サービスフローの領域を割当てる。サービスフロー割当部１０は、上りの各サービスフローについてＱｏＳパラメータにおける伝送レート、遅延時間、および遅延時間の変動についての条件を満たし、かつ少なくとも１つのサービスフローを他のサービスフローよりも優先して領域を割当てる（ステップＳ３０９）。
【００３８】
次に、無線端末４の送受信部７は、割当てた領域にサービスフローのデータを配置して、無線基地局３へ送信する（ステップＳ３１０）。
【００３９】
次に、無線基地局３は、割当てたユーザデータバースト領域に含まれるサービスフローのデータを受信する（ステップＳ３１１）。
【００４０】
（サービスフローの割当動作）
図５は、本発明の第１の実施形態の無線端末４によるサービスフローのバースト領域の割当手順を表わすフローチャートである。図５は、既にすべてのサービスフローのバースト領域が割当てられているときに、特定のサービスフローのバースト領域を変更する場合の手順を表わす。
【００４１】
図５を参照して、サービスフロー割当部１０は、生成されたＮ個のサービスフローのうち、特定のサービスフローがＱｏＳパラメータで規定される最大伝送レートを実現するように、特定のサービスフローのスロット数を設定する。ここで、スロットとは、ＯＦＤＭＡフレームにおける周波数軸上の数個のサブキャリアと、時間軸上の連続する数個の連続するシンボルとで構成される単位である。サービスフロー割当部１０は、他のサービスフローのスロット数については、既に割当てられている現状の値を維持する。ここで、特定のサービスフローは、予め定められたもの、たとえばＦＴＰのサービスフローとしてもよい。あるいは、特定のサービスフローは、無線端末４のユーザが、無線端末４の入力部（キーまたはタッチパネル）を通じて選択したサービスフローであってもよい（ステップＳ１００）。
【００４２】
次に、サービス領域割当部は、Ｎ個のサービスフローのスロット数の総和が、自端末に割当られたユーザデータバースト領域のスロット数を越えているかどうかを調べる（ステップＳ１０１）。
【００４３】
サービスフロー割当部１０は、Ｎ個のサービスフローのスロット数の総和が、自端末に割当られたユーザデータバースト領域のスロット数以下の場合には（ステップＳ１０１でＮＯ）、各サービスフローについて、自端末に割当てられたユーザデータバースト領域のうちの、設定されたスロット数の大きさだけのバースト領域を割当てる（ステップＳ１０２）。
【００４４】
一方、サービスフロー割当部１０は、Ｎ個のサービスフローのスロット数の総和が、自端末に割当られたユーザデータバースト領域のスロット数を越える場合には（ステップＳ１０１でＹＥＳ）、以下のようにして、割当てるスロット数を減少させる。
【００４５】
サービスフロー割当部１０は、Ｎ個のサービスフローのスロット数の総和から自端末に割当られたユーザデータバースト領域のスロット数を減算した値ΔＳを算出する（ステップＳ１０３）。
【００４６】
サービスフロー割当部１０は、Ｎ個のサービスフローのうち、最大伝送レートを割当てた特定のサービスフロー以外の（Ｎ−１）個のサービスフローに順序ｉ（１〜（Ｎ−１））を付ける。サービスフロー割当部１０は、順序ｉを１に設定する（ステップＳ１０４）。
【００４７】
サービスフロー割当部１０は、順序ｉのサービスフローＳＦ（ｉ）のスロット数をΔＳだけ減少したときに、サービスフローＳＦ（ｉ）のＱｏＳパラメータのうちの、最大伝送レート（すべてのサービスタイプにおいて）、最小伝送レート（ｒｔＰＳ、ｅｒｔＰＳ、ｎｒｔＰＳにおいて）、最大遅延時間（ＵＧＳ、ｒｔＰＳ、ｅｒｔＰＳにおいて）、および許容ジッタ（遅延時間の変動）（ＵＧＳ）で規定される条件を満たすか否かを調べる（ステップＳ１０５）。
【００４８】
サービスフロー割当部１０は、ＱｏＳパラメータで規定される上記の条件を満たす場合には（ステップＳ１０５でＹＥＳ）、サービスフローＳＦ（ｉ）のスロット数をΔＳだけ減少させる（ステップＳ１０６）。
【００４９】
サービスフロー割当部１０は、各サービスフローについて、自端末に割当てられたユーザデータバースト領域のうちの、設定されたスロット数の大きさだけのバースト領域を割当てる（ステップＳ１０２）。
【００５０】
一方、サービスフロー割当部１０は、ＱｏＳパラメータで規定される条件を満たさない場合には（ステップＳ１０５でＮＯ）、順序ｉが（Ｎ−１）でない場合に（ステップＳ１０７でＮＯ）、順序ｉを１だけ増加させて（ステップＳ１０８）、ステップＳ１０５に戻る。一方、サービスフロー割当部１０は、順序ｉが（Ｎ−１）の場合には（ステップＳ１０７でＹＥＳ）、現状の割当られたユーザデータバースト領域では、ＱｏＳパラメータで規定される条件を満たすような、サービスフローの割当が不可能と判断し、送受信部７を介して、無線基地局３に帯域の増加を要求する（ステップＳ１０９）。
【００５１】
以上のように、本発明の第１の実施形態によれば、ユーザが入力部（キーまたはタッチパネル）を通じて選択したサービスフロー、または予め定められたサービスフローが最大伝送レートでデータを伝送されるようにすることができる。
【００５２】
［第２の実施形態］
第２の実施形態は、第１の実施形態とは異なる方式で、サービスフローのバースト領域を割当てる無線端末に関する。
【００５３】
（サービスフローの割当動作）
図６は、本発明の第２の実施形態の無線端末４によるサービスフローのバースト領域の割当手順を表わすフローチャートである。図６は、すべてのサービスフローのバースト領域を新たに割当てる場合の手順を表わす。
【００５４】
図６を参照して、サービスフロー割当部１０は、Ｎ個のサービスフローについて、サービスフローの優先度ｉを設定する。優先度ｉは、優先度が最も高いものをＮとし、優先度が最も低いものを１とする。ここで、優先度の設定は、サービスフローごとに予め定められたものとしてもよく、たとえばＦＴＰを優先度が最も高いこととしてもよい。あるいは、無線端末４のユーザが、無線端末４の入力部（キーまたはタッチパネル）を通じて、サービスフローごとの優先度を設定してもよい（ステップＳ２００）。
【００５５】
次に、サービスフロー割当部１０は、生成されたＮ個のすべてのサービスフローについて、ＱｏＳパラメータで規定される最大伝送レートを実現するように、優先度ｉのサービスフローＳＦ（ｉ）のスロット数ＳＬ（ｉ）を初期設定する（ステップＳ２０１）。
【００５６】
次に、サービスフロー割当部１０は、Ｎ個のサービスフローのスロット数ＳＬ（ｉ）の総和が、自端末に割当られたユーザデータバースト領域のスロット数Ａ＿ＳＬを越えているかどうかを調べる（ステップＳ２０２）。
【００５７】
サービスフロー割当部１０は、ＳＬ（ｉ）の総和が、ユーザデータバースト領域のスロット数Ａ＿ＳＬ以下の場合には（ステップＳ２０２でＮＯ）、各サービスフローＳＦ（ｉ）について、自端末に割当てられたユーザデータバースト領域のうちの、設定されたスロット数ＳＬ（ｉ）の大きさだけのバースト領域を割当てる（ステップＳ２０３）。
【００５８】
一方、サービスフロー割当部１０は、ＳＬ（ｉ）の総和が、ユーザデータバースト領域のスロット数Ａ＿ＳＬを越える場合には（ステップＳ２０２でＹＥＳ）、以下のようにして、割当てるスロット数を減少させる。
【００５９】
まず、サービスフロー割当部１０は、優先度ｉを最も優先度の低い値である１に設定する（ステップＳ２０４）。
【００６０】
次に、サービスフロー割当部１０は、サービスフローＳＦ（ｉ）のスロット数ＳＬ（ｉ）をΔＳ（予め定められた固定値）だけ減少させた値Ｐを算出する（ステップＳ２０５）。
【００６１】
サービスフロー割当部１０は、サービスフローＳＦ（ｉ）のスロット数をＰにした場合に、サービスフローＳＦ（ｉ）のＱｏＳパラメータのうちの、最大伝送レート（すべてのサービスタイプにおいて）、最小伝送レート（ｒｔＰＳ、ｅｒｔＰＳ、ｎｒｔＰＳにおいて）、最大遅延時間（ＵＧＳ、ｒｔＰＳ、ｅｒｔＰＳにおいて）、および許容ジッタ（遅延時間の変動）（ＵＧＳ）で規定される条件を満たすか否かを調べる（ステップＳ２０６）。
【００６２】
サービスフロー割当部１０は、ＱｏＳパラメータで規定される上記の条件を満たす場合には（ステップＳ２０６でＹＥＳ）、サービスフローＳＦ（ｉ）のスロット数ＳＬ（ｉ）をＰに設定する（ステップＳ２０７）。
【００６３】
次に、サービスフロー割当部１０は、Ｎ個のサービスフローのスロット数ＳＬ（ｉ）の総和が、自端末に割当られたユーザデータバースト領域のスロット数Ａ＿ＳＬを越えているかどうかを調べる（ステップＳ２０８）。
【００６４】
サービスフロー割当部１０は、ＳＬ（ｉ）の総和が、ユーザデータバースト領域のスロット数Ａ＿ＳＬ以下の場合には（ステップＳ２０８でＮＯ）、各サービスフローＳＦ（ｉ）について、自端末に割当てられたユーザデータバースト領域のうちの、設定されたスロット数ＳＬ（ｉ）の大きさだけのバースト領域を割当てる（ステップＳ２０３）。
【００６５】
一方、サービスフロー割当部１０は、ＳＬ（ｉ）の総和が、ユーザデータバースト領域のスロット数Ａ＿ＳＬを越える場合には（ステップＳ２０８でＹＥＳ）、ステップＳ２０５に戻って、さらに、サービスフローＳＦ（ｉ）のスロット数を減少させる処理を行なう。
【００６６】
サービスフロー割当部１０は、ステップＳ２０６でＮＯの場合、すなわち、ＱｏＳパラメータで規定される上記の条件を満たさない場合において、優先度ｉがＮでない場合に（ステップＳ２０９でＮＯ）、優先度ｉを１だけ増加させて（ステップＳ２１０）、ステップＳ２０５に戻る。一方、サービスフロー割当部１０は、優先度ｉがＮの場合には（ステップＳ２０９でＹＥＳ）、現状の割当られたユーザデータバースト領域では、ＱｏＳパラメータで規定される条件を満たすような、サービスフローの割当が不可能と判断し、送受信部７を介して、無線基地局３に帯域の増加を要求する（ステップＳ２１１）。
【００６７】
以上のように、本発明の第２の実施形態によれば、第１の実施形態と異なる方法で、ユーザが入力部（キーまたはタッチパネル）を通じて選択した優先度、または予め定められた優先度が高いサービスフローほど、可能な限り大きな伝送レートでデータを伝送されるようにすることができる。
【００６８】
［第３の実施形態］
第３の実施形態は、第１および第２の実施形態とは異なる方式で、サービスフローのバースト領域を割当てる無線端末に関する。
【００６９】
（サービスフローの割当動作）
図７は、本発明の第３の実施形態の無線端末４によるサービスフローのバースト領域の割当手順を表わすフローチャートである。図７は、すべてのサービスフローのバースト領域を新たに割当てる場合の手順を表わす。
【００７０】
図７を参照して、サービスフロー割当部１０は、Ｎ個のサービスフローについて、サービスフローの優先度ｉを設定する。優先度ｉは、優先度が最も高いものをＮとし、優先度が最も低いものを１とする。ここで、優先度の設定は、サービスフローごとに予め定められたものとしてもよく、たとえばＦＴＰを優先度が最も高いこととしてもよい。あるいは、無線端末４のユーザが、無線端末４の入力部（キーまたはタッチパネル）を通じて、サービスフローごとの優先度を設定してもよい（ステップＳ３００）。
【００７１】
次に、サービスフロー割当部１０は、優先度ｉのサービスフローＳＦ（ｉ）のスロット数ＳＬ（ｉ）を初期設定する。具体的には、サービスフロー割当部１０は、サービスフローＳＦ（ｉ）のＱｏＳパラメータのうちの、最大伝送レート（すべてのサービスタイプにおいて）、最小伝送レート（ｒｔＰＳ、ｅｒｔＰＳ、ｎｒｔＰＳにおいて）、最大遅延時間（ＵＧＳ、ｒｔＰＳ、ｅｒｔＰＳにおいて）、および許容ジッタ（遅延時間の変動）（ＵＧＳ）で規定される条件を満たし、かつスロット数が最小となるように、スロット数ＳＬ（ｉ）を設定する（ステップＳ３０１）。
【００７２】
次に、サービスフロー割当部１０は、Ｎ個のサービスフローＳＦ（ｉ）のスロット数ＳＬ（ｉ）の総和Ｓを算出する（ステップＳ３０２）。
【００７３】
次に、サービスフロー割当部１０は、割当てられたユーザデータバースト領域のスロット数Ａ＿ＳＬから、スロット数ＳＬ（ｉ）の総和Ｓを減算した値ΔＳを算出する（ステップＳ３０３）。
【００７４】
次に、サービススロー割当部１０は、ΔＳを優先度ｉに基づいて、サービスフローＳＦ（ｉ）のスロット数ＳＬ（ｉ）に配分する。たとえば、サービスフロー割当部１０は、サービスフローＳＦ（ｉ）のスロット数ＳＬ（ｉ）をΔＳ×ｉ／｛（Ｎ（Ｎ＋１）／２｝だけ増加する（ステップＳ３０４）。
【００７５】
次に、サービスフロー割当部１０は、サービスフローＳＦ（ｉ）について、自端末に割当てられたユーザデータバースト領域のうちの、設定されたスロット数ＳＬ（ｉ）の大きさだけのバースト領域を割当てる（ステップＳ３０５）。
【００７６】
以上のように、本発明の第３の実施形態によれば、第１および第２の実施形態と異なる方法で、ユーザが入力部（キーまたはタッチパネル）を通じて選択した優先度、または予め定められた優先度が高いサービスフローほど、可能な限り大きな伝送レートでデータを伝送されるようにすることができる。
【００７７】
［第４の実施形態］
第４の実施形態は、第１〜第３の実施形態とは異なる方式で、サービスフローのバースト領域を割当てる無線端末に関する。
【００７８】
（サービスフローの割当動作）
図８は、本発明の第４の実施形態の無線端末４によるサービスフローのバースト領域の割当手順を表わすフローチャートである。図８は、すべてのサービスフローのバースト領域を新たに割当てる場合の手順を表わす。
【００７９】
図８を参照して、サービスフロー割当部１０は、各サービスフローのスロット数を初期設定する。ここで、スロットとは、ＯＦＤＭＡフレームにおける周波数軸上の数個のサブキャリアと、時間軸上の連続する数個の連続するシンボルとで構成される単位である。具体的には、サービスフロー割当部１０は、各サービスフローのＱｏＳパラメータのうちの、最大伝送レート（すべてのサービスタイプにおいて）、最小伝送レート（ｒｔＰＳ、ｅｒｔＰＳ、ｎｒｔＰＳにおいて）、最大遅延時間（ＵＧＳ、ｒｔＰＳ、ｅｒｔＰＳにおいて）、および許容ジッタ（遅延時間の変動）（ＵＧＳ）で規定される条件を満たし、かつスロット数が最小となるように、スロット数を初期設定する（ステップＳ４０１）。
【００８０】
次に、サービスフロー割当部１０は、Ｎ個のサービスフローのスロット数の総和Ｓを算出する（ステップＳ４０２）。
【００８１】
サービスフロー割当部１０は、割当てられたユーザデータバースト領域のスロット数Ａ＿ＳＬから、スロット数の総和Ｓを減算した値ΔＳを算出する（ステップＳ４０３）。
【００８２】
次に、サービススロー割当部１０は、特定のサービスフローのスロット数をΔＳだけ増加する。ここで、特定のサービスフローは、予め定められたもの、たとえばＦＴＰのサービスフローとしてもよい。あるいは、特定のサービスフローは、無線端末４のユーザが、無線端末４の入力部（キーまたはタッチパネル）を通じて選択したサービスフローであってもよい（ステップＳ４０４）。
【００８３】
次に、サービスフロー割当部１０は、各サービスフローについて、自端末に割当てられたユーザデータバースト領域のうちの、設定されたスロット数の大きさだけのバースト領域を割当てる（ステップＳ４０５）。
【００８４】
以上のように、本発明の第４の実施形態によれば、第１〜第３の実施形態と異なる方法で、ユーザが入力部（キーまたはタッチパネル）を通じて選択した優先度、または予め定められた優先度が高いサービスフローほど、可能な限り大きな伝送レートでデータを伝送されるようにすることができる。
【００８５】
（変形例）
本発明は、上記の実施形態に限定されるものではなく、たとえば以下のような変形例も含む。
【００８６】
（１）  ＱｏＳパラメータの条件
本発明の実施形態では、ＱｏＳパラメータの条件を満たした上で、特定のサービスフローに他のサービスフローよりも優先してバースト領域を割当てたが、これに限定するものではない。ＷｉＭＡＸ以外の無線通信システムにおいて、必ずしもＱｏＳパラメータの条件を満たす必要がない場合には、ＱｏＳを無視してもよい。
【００８７】
（２）  サービスフローの領域の割当て
本発明の第１の実施形態では、１つのサービスフローだけを他のサービスフローよりも優先してバースト領域を割当て、本発明の第２の実施形態では、すべてのサービスフローに優先度を付けて、優先度の高いものほど優先してバースト領域を割当てたが、本発明のサービスフローの領域の割当は、これらに限定されるものではない。
【００８８】
たとえば、Ｎ個のサービスフローのうち、Ｍ個（Ｎ＞Ｍ）のサービスフローを、残りの（Ｎ−Ｍ）個のサービスフローよりも優先してバースト領域を割当てることとしてもよい。
【００８９】
また、優先度の高いサービスフローのバースト領域は、必ずしも最大伝送レートを実現するものに限定されるものではなく、優先度の低いサービスフローのバースト領域よりも、伝送レートが大きくなるように設定することとしてもよい。
【００９０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９１】
１  無線通信システム、２  管理サーバ、３  無線基地局、４ａ〜４ｎ，４  無線端末、５，６  アンテナ、７  送受信部、８  制御部、９  バースト領域管理部、１０  サービスフロー割当部、１１  ＱｏＳ管理部。
【図１】
2011071899.tif 000003
【図２】
2011071899.tif 000004
【図３】
2011071899.tif 000005
【図４】
2011071899.tif 000006
【図５】
2011071899.tif 000007
【図６】
2011071899.tif 000008
【図７】
2011071899.tif 000009
【図８】
2011071899.tif 000010